(57)【要約】【課題】タンク内の水−重油界面を良好に検出することができる水−油界面の検出方法を提案する。【解決手段】この界面検出方法は、液体として水及び油が貯留されたタンクの外側から超音波を照射し、同タンクのタンク壁５と前記液体との界面で反射したエコーを調べることによって水−油界面を検出する方法である。本検出方法では、互いに離れて配置された発信側探触子及び受信側探触子を用い、該発信側探触子からタンク壁５に対して超音波を斜めに照射すると共に、前記タンク壁５と前記液体との界面で反射したエコーを前記受信側探触子で検出することにより、エコー強度の変化をみて水と油との界面を検出する。【選択図】図９
2008096392.tif 000002
【特許請求の範囲】
【請求項１】
水及び油が貯留されたタンクの外側から超音波を照射し、同タンクのタンク壁と前記液体との界面で反射したエコーを調べることによって水−油界面を検出する方法であって、
発信側探触子から前記タンク壁に対して超音波を斜めに照射すると共に、前記タンク壁と前記液体との界面で反射したエコーを受信側探触子で検出し、エコー強度の変化により水と油との界面を検出することを特徴とする、タンク内の水−油界面の検出方法。
【請求項２】
エコーを前記受信側探触子で検出する工程を、前記タンクの上下方向に沿って複数回行うことを特徴とする、請求項１に記載のタンク内の水−油界面の検出方法。
【請求項３】
前記超音波の縦波の前記タンク壁に対する入射臨界角がα°であるときに、前記タンク壁に対する超音波の入射角が、α／３〜α°であることを特徴とする、請求項１又は２に記載のタンク内の水−油界面の検出方法。
【請求項４】
前記エコーを検出する工程は、前記タンク壁内を横波のみで伝播する経路のエコーを検出することを特徴とする、請求項１〜３のいずれか１項に記載のタンク内の水−油界面の検出方法。
【請求項５】
前記エコーは、前記タンク壁内を横波で伝播し、前記タンク壁と前記液体との前記界面で２度反射したエコーであることを特徴とする、請求項４に記載のタンク内の水−油界面の検出方法。
【請求項６】
前記タンク壁と油との界面からのエコー強度が前記タンク壁と水との界面からのエコー強度よりも低く、
これら両エコー強度の差に基づいて水と油との界面を検出することを特徴とする、請求項４又は５に記載のタンク内の水−油界面の検出方法。
【発明の詳細な説明】
【技術分野】
【０００１】
本発明は、超音波を用いて、沈没船などの船内などに残存する油の量を推定する技術に関する。特には、タンク内の水−重油界面を良好に検出することができる検出方法に関する。
【背景技術】
【０００２】
日本近海を含む世界中の海底には、過去の戦争や海難事故等によって沈んだ沈船が無数に存在している。その中には、船体内部に貨物油や燃料油を積載したまま沈没しているものも多い。近年、沈船の腐食・破損によって船体から油が徐々に漏れ出たり、突発的に大量の油が噴き出たりする事故が多々見られるようになっている。
この問題に対応するためには、沈船内に油が残存しているのかどうか、また、している場合、どの部位にどれだけの量が残存しているのかを確認する必要がある。このように油の残留状況を非破壊検査的な手法により確認した上で、漏洩対策や回収方法を決定することが望ましい。
沈船内の重油タンクには、燃料である重油と共に、海水又は空気が存在している場合がある。海水−重油界面が分かれば油の残量を推定することができる。
沈船内の油の残量を推定するには、超音波を用いたパルスエコー法を利用することが考えられる。パルスエコー法（垂直入射型）は、超音波パルスが対象物から反射して戻ってくる時間とそのときの強度とを測る方法であり、音響インピーダンスの変化によるエコー強度の違いから界面を検出するものである（例えば特許文献１参照）。
【特許文献１】特開昭６３−１７９２２１号公報
【発明の開示】
【発明が解決しようとする課題】
【０００３】
しかしながら、水の音響インピーダンス（１．４８）と、重油の音響インピーダンス（１．３３）とが近い値をとるため、タンク内が重油である場合、垂直入射型のパルスエコー法では水−重油界面を良好に検出することが困難であった。
本発明は上記課題に鑑みてなされたものであり、その目的は、タンク内の水−重油界面を良好に検出することができる水−油界面の検出方法を提案することにある。
【課題を解決するための手段】
【０００４】
上記目的を達成するための本発明の水−油界面の検出方法は、
水及び油が貯留されたタンクの外側から超音波を照射し、同タンクのタンク壁と前記液体との界面で反射したエコーを調べることによって水−油界面を検出する方法であって、
発信側探触子から前記タンク壁に対して超音波を斜めに照射すると共に、前記タンク壁と前記液体との界面で反射したエコーを受信側探触子で検出し、エコー強度(エコー高さ)の変化により水と油との界面を検出することを特徴とする。
【０００５】
このように超音波を斜めに入射させるようにすることで、次のような理由から、従来困難であった水−重油界面の検出が可能になる。すなわち、重油は、水と比べてその粘性が非常に高いため、超音波を斜めに入射させると、タンク壁と重油との界面で反射する際の剪断力成分がエコーの挙動に影響すると考えられる。従って、この影響を考慮しつつエコーを調べることで、従来、垂直入射では困難であった水−重油界面検出が可能になる。
【０００６】
上記本発明の方法は、エコーを前記受信側探触子で検出する工程を、前記タンクの上下方向に沿って複数回行うものであってもよい。
【０００７】
タンク壁内を伝播するエコーとしては、縦波を多く含むもの、あるいは、横波を多く含むもの等、様々な経路が存在するが（詳細については図面を参照して後述する）、縦波と横波とが混在する径路（例えばｗ−ｓ−ｃ−ｗの経路）のエコーに比べ、タンク壁内を横波のみで伝播する経路（例えばｗ−４ｓ−ｗの経路）のエコーは、水−油界面の検出に有利であると考えられる。
この場合、本発明に係る水−油界面の検出方法は、前記タンク壁と油との界面からのエコー強度が前記タンク壁と水との界面からのエコー強度よりも低く、これら両エコー強度の差に基づいて水と油との界面を検出するものとなる。
【発明の効果】
【０００８】
上述したように、本発明のタンク内の水−油界面の検出方法によれば、従来、垂直入射では検出が困難であった、タンク内の水−重油界面の検出を良好に行うことが可能である。
【発明を実施するための形態】
【０００９】
以下、本発明の実施の形態について、図面を参照しながら詳細に説明する。
まず、本発明に係る斜め入射の水−油（特には重油）界面検出方法について説明をする前に、
（１）垂直入射による、手前側のタンク壁内面からのエコーを調べる方法、及び、
（２）垂直入射による、奥側のタンク壁からのエコーを調べる方法、について説明する。
【００１０】
（１）垂直入射による、手前側のタンク壁内面からのエコーを調べる方法について。
図１は、上記（１）、（２）の検出方法を行う装置及びタンクの構成を模式的に示す斜視図である。
図２（Ａ）は、図１のタンク壁面の一部を示す縦断面図であり、図２（Ｂ）は、垂直入射による検出方法を説明するための波形図である。
【００１１】
図１に示すように、この例では、タンク１０は鋼製の四角い容器であり、互いに対向する手前側のタンク壁５及び奥側のタンク壁６を有している。タンク１０の内部には、若干の空気４を残して水２及び油３（灯油又は重油）が入っている。
【００１２】
探触子２０は、水浸探傷装置の一部として水中に設けられ、タンク壁面５の手前側に配置されている。探触子２０は、タンク壁５に沿って左右に往復走査しながらタンクの上部から下部に向かって移動可能に構成されている。探触子２０は、例えば、コンピュータ制御可能な操作制御装置（不図示）に取り付けられていてもよい。
探触子２０は、超音波をタンク壁面５に向けて発信する機能と、タンク壁５又は６で反射して戻ってきたエコーを受信する機能とを備えている。上記（１）、（２）の方法においては、探触子２０からの超音波はタンク壁５に対して垂直に入射する。
【００１３】
探触子２０は、データ解析装置（詳細は図４も参照）に接続されており、探触子２０で受信されたエコーがこのデータ解析装置に送られるようになっている。データ解析装置はディスプレイを備えており、受信したエコー強度に応じたＣ−スコープをそのディスプレイに表示する。
【００１４】
図３は、探触子２０からの超音波がタンク壁５、６で反射する様子を模式的に示す縦断面図である。
同図に示すように、探触子２０から発信された超音波ＰＩは、手前側のタンク壁５に垂直に入射する。そのうちの一部はタンク壁５の表面５ａで反射する。タンク壁５内に入射した超音波の一部は、タンク壁５の内面（裏面）５ｂで反射して手前側に戻ってくる（ＰＴ）。なお、図３では示していないが、タンク壁５内を複数回反射した後、探触子２０側に戻ってくるエコーも存在する。
ここで、タンク外の水、タンク壁５、及びタンク内の油３の、それぞれの固有音響インピーダンスをＺ１、Ｚ２、及びＺ３とすると、タンク壁内面５ｂからのエコーＰＴの強度の、入射波エコーＰＩに対する比は次の式で計算される。
【００１５】
【数１】
2008096392.tif 000003
【００１６】
第３層（タンクの内部を意図する）として、２つの異なる液体（水及び油）を考え、その基準化音響インピーダンスをｋｑ１、ｋｑ２として、２つの液体間のエコー高さ変化量の平均エコー高さに対する比を計算する。具体的には、第２層を鋼、第３層を油と想定しているので、第２層の値で基準化した固有音響インピーダンスｋｑ１、ｋｑ２は、１よりも十分小さくなり、計算式が簡略化され、次式が得られる。
【００１７】
【数２】
2008096392.tif 000004
【００１８】
タンク壁内面のエコー変化を調べることにより、水−油界面を検出することができる。ただし、この（１）の方法の場合、上記（３）式で表されるエコー高さ変化が、検出装置のＳＮ比以上でなければならない。
【００１９】
続いて、
（２）垂直入射による、奥側のタンク壁からのエコーを調べる方法、について説明する。
この方法では、図３に示すように手前側のタンク壁面５を透過してタンク内の水又は油内を伝播し、奥側のタンク壁６の内面で反射して戻ってきたエコーＰＴ′の高さを調べる方法である。この方法は、タンクの構造についての知識が予め必要とされるが、それが判っていれば水−重油界面を有効に検出することが可能である。
【００２０】
このエコーＰＴ′を調べることによって、内部が水であるか又は油であるかを検出できる理由は次の通りである。すなわち、重油の粘性は水に比べて非常に高く、このような高粘性な媒質内を伝播する際、超音波は大幅に減衰する。そのため、油内を伝播して奥側のタンク壁６から反射してくるエコーの高さは、水内を伝播して同壁６に当たりそこから反射してくるエコーの高さに比べて低くなる（エコーの消失を含む）。このエコー高さの差を検出することで、タンク内が水であるか又は油であるかを検出することができる。
【００２１】
なお、タンク内が空気層である場合、重油層の場合と同様、奥側のタンク壁からのエコーが消失する。このため、空気層と重油層とを判別するためには、上述した（１）の方法組み合わせるとよい。
【００２２】
次に、上記した（１）、（２）の方法で実際に水−油界面を検出した例について簡単に説明する。
〔実験条件〕
図４に示す実験装置を用いた。タンク１０（図１参照）に相当する鋼水槽１０を、水を満たした水槽９内に配置し、探触子２０をコンピュータ制御可能な走査制御装置１７に取り付けて計測を行った。タンク１０は、厚み８ｍｍの鋼製タンクとし、タンク内には水及び油（Ｃ重油・灯油）を入れた。（２）の方法では、ＳＵＳ３０４製のタンク内に水と重油を入れた。タンク内壁間間隔は７０ｍｍである。
なお、符号１４は走査駆動部及び超音波計測器であり、符号１５が制御部であり、符号１６がデータ表示解析部である。各材料の物性値を表１に示す。
【表１】
2008096392.tif 000005
【００２３】
（１）垂直入射による、手前側のタンク壁内面からのエコーを調べる方法での検出例
図５（Ａ）に、水−灯油−空気の３層を含む、鋼製タンク壁内面のエコー高さ情報で作成したＣ−スコープ画像を示す。
各層に接するタンク内面における反射率の差により、水−灯油−空気の各層が異なる色調で表示され、水−灯油界面及び灯油−空気界面を検出することができた。表１の物性値及び（２）式を利用して、水と灯油、水の空気のエコー高さの差を計算すると、それぞれ１．８％、６．５％であった。このことから、水と空気層の判別が容易であり、また、水と灯油の判別も可能であることが分かった。
【００２４】
図５（Ｂ）は、タンク内に水と重油を満たした際のＣ−スコープ画像である。
図から分かるとおり、（１）の方法では、重油と水の判別は困難であった。イコライズ処理（エコー高さの分解能を高める手法）を用いても、重油と水の判別は困難であった。この理由は、重油と水のエコー高さが計測系のＳＮ比以下であるためと考えられる。ちなみに、（２）式で計算されるエコー高さの差は０．７％である。
【００２５】
（２）垂直入射による、奥側のタンク壁からのエコーを調べる方法での検出例
次に、タンク内の重油を透過し、対面内壁（タンク壁６）からのエコーを調べる手法による界面の検出を試みた。タンク内には水と重油を入れた。
結果を図６に示す。図６において、上半分は重油の部分である。重油中での超音波の減衰が大きいため、対面内壁からのエコーが消失し、装置のスレシュホルドに対応する階調となっていた。下半分は水の部分であり、対面内壁からのエコー高さによる画像である。重油のような、高粘性な媒質内では、超音波の減衰が大きいため、水の部分との判別に本手法は有効と考えられた。
【００２６】
（３）斜め入射エコーを利用した水−重油界面の検出方法について
上述した、タンク内の油層を透過したエコーを検出する（２）の方法を用いるためには、予めタンク形状等に関する情報が必要である。しかしながら、沈船などでは得られる情報に限りがあるので、正確な界面検出を行うことが困難と考えられる。
そこで、以下、斜め入射エコーを利用した方法について説明する。この方法は、予めタンク形状等の情報がない場合にも、良好に水−重油界面を検出し得る方法である。また、従来の垂直入射方では判別しにくかった水−重油界面を、水と重油の粘性の差を利用して検出しようとするものである。すなわち、斜め入射における、反射率及び屈折率の計算に重油の粘性効果を導入し、反射率及び屈折率の計算に現れる粘性の影響を考慮して、水−重油界面の検出に役立てるものである。
【００２７】
図７は、タンク壁５を横方向に切った横断面図であり、図の上側がタンク１０の外側（図１参照）であり、下側がタンク１０の内側である。同図の例では、タンク内部は重油層となっている。
【００２８】
図７に示すように、この方法で用いられる界面検出装置（全体は図４の構成とほぼ同じ）は、一対の探触子２０Ａ及び２０Ｂを備えている。
探触子２０Ａは超音波発信用のものであり、探触子２０Ｂはエコー受信用のものである。両探触子２０Ａ、２０Ｂは互いに離れて配置されている。発信用探触子２０Ａは、タンク壁面５に対して０°〜約２７°の角度で超音波を照射する（詳細後述）。
【００２９】
図８は、２つの媒質の界面に超音波が入射した際の反射の態様を示す図である。
同図に示すように、超音波が界面Ｂに入射すると、縦波及び横波の反射波と、縦波及び横波の屈折波とが生じる。この現象を「モード変換」と称する。入射角と屈折角及び反射角は、スネル法則で関係付けられている。
【００３０】
【数３】
2008096392.tif 000006
【００３１】
ここで、粘性効果を考慮した斜め入射による反射率及び屈折率の計算について簡単に述べる。
角周波数ωを有する微小振動振幅を仮定すると、粘性流体中の二次元応力は次式で表される。ここで、κ、μは、それぞれ体積弾性率と粘性係数である。ｃｖｃ、ｃｖｓはそれぞれ、縦波及び横波の音速に相当するが、虚数を含むため、波動は減衰振幅の形式である。従って、粘性率を有する媒質中では、粘性に基づく減衰効果が縦波及び横波に存在することが分かる。
【数４】
2008096392.tif 000007
【００３２】
次に、固体材料における応力は、（５）式におけるｃｖｃ、ｃｖｓを、固体中の縦波及び横波の音速ｃｃ、ｃｓに置き換えることにより得られる（（下記（８）、（９）式参照）。図８に示した横波反射波及び縦波反射波を、変位ポテンシャルφＩｃ、φＩｓで表す（下記（１０）、（１１）式参照）。また、横波反射波と縦波反射波による変位は、変位ポテンシャルの定義から、下記（１２）、（１３）式で計算される。応力は（５）式に（１２）、（１３）式を代入して計算する。
【数５】
2008096392.tif 000008
【００３３】
入射波及び屈折波も同様に変位ポテンシャルで表し、これらを用いて、界面（Ｚ＝０）での応力（ｘ方向軸力、ｚｘ方向剪断力）、変位（ｘ方向、ｚ方向）の媒質１、２における計算式を求め、これらを連続とした条件を解いて、反射波及び屈折波の変位振幅を計算する。以上の計算を入射角の関数として実施し、反射率及び屈折率の入射角依存性が求められる。
【００３４】
次に、斜め入射における超音波の伝播経路について検討する。
固体中の境界では、縦波から横波、及び、横波から縦波のモード変換現象が生じる。そのため、送信側探触子２０Ａから受信側探触子２０Ｂ（図７参照）に到る超音波の伝搬経路は、タンク壁内におけるモード変換によって多様な種類が存在することとなる。
【００３５】
図９は、比較的単純な経路の例を幾つか示している。図中、「ｗ」は水中（探触子からタンク壁外側表面までを指す）における伝搬を、「ｓ」及び「ｃ」はそれぞれタンク壁内での横波及び縦波の伝搬を示す。「ｓ」及び「ｃ」の前に付された数字は、板厚分の経路数を表している。
図９（Ｂ）、（Ｅ）に示すように、「ｗ−ｓ−ｃ−ｗ」や「ｗ−３ｓ−ｃ−ｗ」などには複数の経路かあり、検出信号はこれらを加算した結果となる。
【００３６】
入射角は径路毎に異なっており、送受信探触子２０Ａの設定方向と一致した経路の超音波が大きな信号で受信される。また、ＴＯＦ（伝搬時間）も経路毎に異なるので、目的とするエコー高さをゲート回路で抽出し、Ｃ−スコープ画像を作成し、重油−水界面検出を行う。なお、エコーの検出は、（１）、（２）の方法と同じく、探触子をタンク外面に沿って上下にスキャンさせながら行った。
【００３７】
前述した方法により、水から鋼、鋼から重油、鋼から水における屈折透過率及び反射率を計算し、このデータを用いて、各伝搬経路におけるエコー高さを入射角の関数として計算した。この結果を図１０に示す。なお、超音波の周波数は５ＭＨｚとした。
横波の臨界角は約２７°であるので、０°〜２７°が鋼内に超音波（横波）が伝搬可能な範囲となる。縦波の臨界角（α＝約１４°）を超えた範囲では、横波のみが存在することとなるので、横波経路のエコーが大きい。
【００３８】
０°〜縦波臨界角α（約１４°）の範囲では、縦波と横波との双方がタンク壁５内に入射するが、α〜２７°の範囲では横波のみがタンク壁５内に入射する。入射角が０°の場合が垂直入射に相当する。前述した通り、垂直入射では水−重油界面の検出が困難である。水−重油界面を検出するための入射角の下限としては、縦波臨界角αの１／３又は１／２の角度以上であることが好ましい。一方、入射角の上限としては（後述する実験結果も参照）、縦波臨界角α程度であることが好ましい。
【００３９】
「ｗ−ｓ−ｃ−ｗ」経路は、透過率が計算誤差の範囲でゼロであった。これは、鋼内を横波−縦波で伝搬する超音波の位相と、縦波−横波で伝搬する超音波の位相とが１８０°異なるため、互いに打ち消しあってゼロになったと考えられた。
【００４０】
次に、重油の粘性が超音波の透過率に及ぼす影響について検討する。
図１０は、タンク内部が重油である場合の各経路（図９（Ａ）〜（Ｅ）参照）のエコー高さを示したものである。これに対して、図１１は、タンク内部が水である場合のエコー高さを計算して基準値とし、重油の値から基準値を差し引き、更に両者の平均値で割算して、重油の粘性によるエコー高さの変化を調べた結果を示す。なお、重油の粘度の効果を明らかにするため、重油の密度と音速は水と同一に設定した。
【００４１】
図１１に示されているように、経路に縦波が多く含まれる場合、粘度によってエコー高さが増加することが分かった。一方、横波が多く含まれる場合には、粘度によってエコー高さが低下することが分かった。粘度の影響は、縦波の臨界角付近（１４〜１５°）で最大になることも分った。
【００４２】
また、「ｗ−ｓ−ｃ−ｗ」（図９（Ｂ）参照）の場合のエコー高さの変化は、計算誤差の範囲でゼロであった。これは、タンク壁内を横波から縦波で伝播する経路の透過波エコー高さ変化と、縦波から横波で伝播する経路の透過波エコー高さ変化とが互いに逆であるため、両者が打ち消しあって振幅変化がゼロになるためと考えられる。
【００４３】
続いて、超音波の周波数の影響を、「ｗ−２ｓ−ｗ」（図９（Ａ）参照）と「ｗ−２ｃ−ｗ」（図９（Ｃ）参照）の場合について、図１２に示す。縦軸は、図１１と同様、水を基準とした場合の変化率である。
図１２に示されているように、周波数が大きいほど粘性によるエコー高さの変化が大きいこと、及び、エコー高さの変化が縦波の臨界角付近で最も大きくなることが分かった。
また、縦波臨界角以上の領域における横波には粘性の影響が少ないことが分かった。
【００４４】
図１３は、図１２における入射角８°のエコー高さ変化率を周波数の関数としてプロットしたものである。同図より、周波数が高いほど、粘性の影響によるエコー高さ変化が大きく、水−重油界面検出に有利であることが分かった。また、タンク壁内における超音波としては、縦波や縦波と横波が混在した経路に比べ、横波のみで伝搬する経路の超音波エコーに、粘性の影響が大きく出ることが分かった。
【００４５】
次に、斜め入射による水−重油界面の検出例について説明する。
水及び重油を満たしたＳＵＳ３０４製タンク（壁厚さ１０ｍｍ）に対し、水浸法にて、２つの探触子２０Ａ及び２０Ｂの間隔=５３．９ｍｍ（図７参照）、タンク壁−探触子２０Ａ、２０Ｂの間隔＝６ｍｍ、探触子２０Ａからの入射角＝１５．２°とした。ＴＯＦ＝２９．６ｕｓのエコー高さで作成したＣ−スコープ像を図１４に示す。図１５は、図１４の水−重油界面検出実験に利用したエコーを示す波形図である。
利用した２９．６ｕｓのエコーは、ほぼｗ−４ｓ−ｗに相当するものであり、これによって水−重油界面が検出可能であった。周波数は５ＭＨｚである。カラースケールから、水の部分より重油の部分のエコー高さが低いことが分かり、計算で求めたエコー高さ変化と定性的に一致する傾向を示した。
【００４６】
以上説明したように、本発明に係るの水−油界面の検出方法によれば、タンク壁面に対して超音波を斜めに入射させ、タンク壁（手前側）と水との界面及び同タンク壁と油との界面から反射したエコー波を検出し、Ｃ−スコープで画像化することにより、従来、垂直入射では困難であった水−重油界面の検出が可能となる。特には、水と重油との粘性の違いに着目し、粘性の違いが超音波の反射率及び透過率に及ぼす影響を考慮することにより、より効果的な水−重油界面の検出が可能となる。
実験では、一例として、タンク壁内の経路がｗ−４ｓ−ｗとなるエコーの場合に界面の検出が良好に行われることが確認された。また、周波数が高いほど、粘性の影響によるエコー高さの変化が大きく、水−重油界面の検出に有利であることが確認された。
【図面の簡単な説明】
【００４７】
【図１】探触子及びタンクの構成を模式的に示す斜視図である。
【図２】図２（Ａ）は、図１のタンク壁面の一部を示す縦断面図であり、図２（Ｂ）は、垂直入射による検出方法を説明するための波形図である。
【図３】探触子からの超音波がタンク壁で反射する様子を模式的に示す縦断面図である。
【図４】データ解析装置の構成を模式的に示す斜視図である。
【図５】垂直入射による、手前側のタンク壁内面からのエコーを調べる方法で界面を検出した際のＣ−スコープ画像である。
【図６】垂直入射による、奥側のタンク壁からのエコーを調べる方法で界面を検出した際のＣ−スコープ画像である。
【図７】斜め入射エコーを利用した水−重油界面の検出方法で用いられる探触子の構成を示す横断面図である。
【図８】２つの媒質の界面に超音波が入射した際の反射の態様を示す図である。
【図９】タンク壁内における超音波径路の幾つかの例を示す図である。
【図１０】タンク内部が重油である場合のエコー高さを計算した結果を示すグラフである。
【図１１】タンク内部が水である場合のエコー高さを計算して基準値とし、重油の値から基準値を差し引き、更に両者の平均値で割算して、重油の粘性によるエコー高さの変化を調べた結果を示すグラフである。
【図１２】超音波の周波数の大きさがエコー高さに及ぼす影響を示すグラフである。
【図１３】入射角が８°のときのエコー高さ変化率を周波数の関数としてプロットしたグラフである。
【図１４】斜め入射による水−重油界面の検出例を示すＣ−スコープ画像である。
【図１５】Ａ−スコープのエコー波形を示す図である。
【符号の説明】
【００４８】
２・・・水、３・・・油、４・・・空気、５、６・・・タンク壁、１０・・・タンク、２０、２０Ａ、２０Ｂ・・・探触子
【図１】
2008096392.tif 000009
【図２】
2008096392.tif 000010
【図３】
2008096392.tif 000011
【図４】
2008096392.tif 000012
【図７】
2008096392.tif 000013
【図８】
2008096392.tif 000014
【図９】
2008096392.tif 000015
【図１０】
2008096392.tif 000016
【図１１】
2008096392.tif 000017
【図１２】
2008096392.tif 000018
【図１３】
2008096392.tif 000019
【図１５】
2008096392.tif 000020
【図５】
2008096392.tif 000021
【図６】
2008096392.tif 000022
【図１４】
2008096392.tif 000023